(57)【要約】【課題】移動通信装置の機能とＰＤＡの機能を有効に統合する携帯型電子システムを提供する。【解決手段】本発明に係る携帯型電子システムは、少なくとも一つの通信機能を提供し、第１構造接続部と第１信号接続部とを有する移動通信装置と、少なくとも一つのアシスタント機能を提供し、前記第１構造接続部に接続される第２構造接続部と前記第１信号接続部に接続される第２信号接続部を有するデジタルアシスタント装置とを備える。【選択図】図１
2008017442.tif 000002
【特許請求の範囲】
【請求項１】
少なくとも一つの通信機能を提供し、第１構造接続部と第１信号接続部とを有する移動通信装置と、
少なくとも一つのアシスタント機能を提供し、前記第１構造接続部に接続される第２構造接続部と前記第１信号接続部に接続される第２信号接続部を有するデジタルアシスタント装置とを備えることを特徴とする
携帯型電子システム。
【請求項２】
前記移動通信装置は、
情報を表示するための表示ユニットと、
情報を入力するための入力ユニットと、
前記通信機能を提供するための通信ユニットとを含むことを特徴とする
請求項１に記載の携帯型電子システム。
【請求項３】
前記第１構造接続部が前記移動通信装置の相対向する両側に設けられた両凸部であり、
前記第２構造接続部が前記デジタルアシスタント装置の相対向する両側に設けられた両凹部であり、
前記移動通信装置の前記両凸部がそれぞれ前記デジタルアシスタント装置の前記両凹部の中にスライドされることを特徴とする
請求項１に記載の携帯型電子システム。
【請求項４】
前記デジタルアシスタント装置の前記凹部が収容部を構成し、
前記収容部が前記凹部の間に位置する開口を有し、且つ、移動通信装置が表示ユニットを含み、
前記表示ユニットが前記移動通信装置と前記デジタルアシスタント装置を組み合せる際に前記開口に位置することを特徴とする
請求項３に記載の携帯型電子システム。
【請求項５】
前記デジタルアシスタント装置が表示ユニットを含み、
前記デジタルアシスタント装置の前記表示ユニットと前記移動通信装置の前記表示ユニットが前記移動通信装置と前記デジタルアシスタント装置を組み合せる際に前記携帯型電子システムの対向する両側に設けられることを特徴とする
請求項４に記載の携帯型電子システム。
【請求項６】
前記第２信号接続部が前記収容部に位置することを特徴とする
請求項４に記載の携帯型電子システム。
【請求項７】
前記デジタルアシスタント装置がさらにタッチコントロールユニットを含み、
前記タッチコントロールユニットが前記開口に設けられ、
前記移動通信装置と前記デジタルアシスタント装置を組み合せる際に、前記タッチコントロールユニットが前記移動通信装置の前記表示ユニットに対向して設けられ、
前記移動通信装置のタッチコントロール機能を提供することを特徴とする
請求項４に記載の携帯型電子システム。
【請求項８】
前記デジタルアシスタント装置がさらに映像増幅ユニットを含み、
前記映像増幅ユニットが前記開口に設けられ、
前記移動通信装置と前記デジタルアシスタント装置を組み合せる際に、前記映像増幅ユニットが前記移動通信装置の前記表示ユニットに対向して設けられ、
前記移動通信装置の前記表示ユニットの映像を増幅することを特徴とする
請求項４に記載の携帯型電子システム。
【請求項９】
前記第１信号接続部と前記第２信号接続部は、それぞれブルートゥース（登録商標）通信ユニットまたは赤外線通信ユニットであることを特徴とする
請求項１に記載の携帯型電子システム。
【請求項１０】
前記第１信号接続部と前記第２信号接続部は、それぞれＵＳＢインタフェースまたはＵＳＢ−ＯＴＧインタフェースであることを特徴とする
請求項１に記載の携帯型電子システム。
【発明の詳細な説明】
【技術分野】
【０００１】
本発明は、携帯型電子システムに関し、特に移動通信装置とパーソナルデジタルアシスタントを統合する携帯型電子システムに関する。
【背景技術】
【０００２】
科学技術の進展と伴い、多くの電子製品がますます小型化され、各種の携帯型電子装置、例えばノートブック型コンピュータ、パーソナルデジタルアシスタント（ＰＤＡ）、移動通信装置などが普及している。  
そのうち、特にＰＤＡと移動通信装置は、さらに小型化かつ多機能化され、より携帯し易くなっている。
【０００３】
一般には、移動通信装置は、主として、移動通信機能を提供し、アンテナユニット、無線周波数ユニット、ベースバンドユニット、表示ユニット、キーボードユニットなどの部品を必要とする。  
また、ＰＤＡは主として、ＧＰＳナビゲーション機能、スケジュール管理機能、カメラ機能、データ保存機能などのアシスタント機能を提供する。  
従ってＰＤＡは、移動通信装置と比較すると、より高度な演算機能とより大きいメモリ容量を必要とするが、これに対して移動通信装置は、より高い通信機能（例えばデュアルバンド、トリプルバンドまたはクワドラプルバンドのアンテナユニットをサポートする）とより携帯し易い寸法などを必要とする。
【発明の開示】
【発明が解決しようとする課題】
【０００４】
上述したように、移動通信装置とＰＤＡは、主な機能がやや異なり、移動通信装置またはＰＤＡのみでユーザの要望に答えられないため、ＰＤＡの機能を統合した移動通信装置（例えばスマートフォン）が開発されたが、この種の移動通信装置が大型で携帯しにくく、しかもＰＤＡのような高度な機能を達成できず、ユーザにとって便利なものではない。
【０００５】
本発明は、上記問題を鑑みてなされたものであり、移動通信装置の機能とＰＤＡの機能を有効に統合する携帯型電子システムを提供することを目的とする。
【課題を解決するための手段】
【０００６】
上記目的を達成するために、本発明に係る携帯型電子システムは、少なくとも一つの通信機能を提供し、第１構造接続部と第１信号接続部とを有する移動通信装置と、少なくとも一つのアシスタント機能を提供し、前記第１構造接続部に接続される第２構造接続部と前記第１信号接続部に接続される第２信号接続部を有するデジタルアシスタント装置とを備える。
【発明の効果】
【０００７】
本発明の携帯型電子システムによれば、移動通信装置とデジタルアシスタント装置が構造接続部によって組み合わされ、さらに信号接続部によって信号接続されるため、移動通信装置の機能とＰＤＡの機能を有効に統合することができる。
【０００８】
また、移動通信装置とデジタルアシスタント装置が個別に使用することもできるため、ユーザが通信機能のみを必要とする場合、移動通信装置のみを取り外すことができる。  
一方、ユーザが他のアシスタント機能のみを必要とする場合、デジタルアシスタント装置のみを取り外すことができる。  
このようにして、移動通信装置またはＰＤＡを個別に使用または携帯することができ、利便性をさらに向上させることができる。
【発明を実施するための最良の形態】
【０００９】
以下、図面を参照しながら、本発明の好適な実施例における携帯型電子システムについて説明する。
【００１０】
図１は、本発明の好適な実施例における携帯型電子システムを示す斜視図である。  
図１に示すように、携帯型電子システム１０は、移動通信装置２０とデジタルアシスタント装置３０とを備える。  
本実施例において、移動通信装置２０は、例えば携帯電話またはスマートフォンであり、デジタルアシスタント装置３０は、例えばＰＤＡである。
【００１１】
なお移動通信装置２０は、第１構造接続部２０１と第１信号接続部２０２とを有する。  
本実施例において、移動通信装置２０は、少なくとも一つの通信機能を提供し、もちろん移動通信装置２０は、カメラ機能、電話帳機能などの付加機能を提供することもできる。
【００１２】
図２Ａは、移動通信装置２０の内部ユニットを示すブロック図である。  
図２Ａに示すように、移動通信装置２０は、通信ユニット２１と、表示ユニット２２と、入力ユニット２３と、通信マイクロプロセッサ２４と、インタフェースユニット２５と、音声入出力ユニット２６と、カメラユニット２７と、電源ユニット２８とを含む。  
そのうち、通信ユニット２１は、通信信号を受信／送信することにより通信機能を提供し、アンテナユニット、無線周波数ユニット、ベースバンドユニットなどを含む。  
表示ユニット２２は、情報を表示するために用いられ、例えばＬＣＤ表示ユニットである。  
入力ユニット２３は、情報を入力するために用いられ、例えばキーボードユニットまたはタッチコントロールユニットである。  
通信マイクロプロセッサ２４は、主として、通信ユニット２１が受信した通信信号を処理するために用いられ、もちろん移動通信装置２０の他の信号を処理することもできる。  
インタフェースユニット２５は、例えば、ＵＳＢインタフェース、ＵＳＢ−ＯＴＧインタフェースなどを適用したインタフェースである。  
音声入出力ユニット２６は、移動通信装置２０の音声出力部と音声入力部とし、例えばスピーカとマイクロホンである。  
カメラユニット２７は、カメラ機能を提供するために用いられ、表示ユニット２２とともに移動通信装置２０の同一側に配置されてもよく、それぞれ移動通信装置２０の対向する両側に配置されてもよい。  
電源ユニット２８は、例えば充電電池である。  
さらにインタフェースユニット２５は、第１信号接続部２０２に接続されることにより、第１信号接続部２０２が他の信号接続部に接続される際に、インタフェースユニット２５を介して信号を通信する。  
なおインタフェースユニット２５と第１信号接続部２０２は、ＵＳＢインタフェース、ＵＳＢ−ＯＴＧインタフェースなどを適用したインタフェースに統合されることができる。
【００１３】
また、図１を再び参照すると、デジタルアシスタント装置３０は、第２構造接続部３０１と第２信号接続部３０２とを有する。  
本実施例において、デジタルアシスタント装置３０は、少なくとも一つのアシスタント機能を提供し、例えばＧＰＳナビゲーション機能、スケジュール管理機能、カメラ機能、データ保存機能、無線通信機能などの機能を提供することができる。
【００１４】
図２Ｂは、デジタルアシスタント装置３０の内部ユニットを示すブロック図である。  
図２Ｂに示すように、デジタルアシスタント装置３０は、プロセッサ３１と、無線通信ユニット３２と、表示ユニット３３と、メモリユニット３４と、入力ユニット３５と、インタフェースユニット３６と、電源ユニット３７とを含む。  
そのうち、プロセッサ３１は、主としてデジタルアシスタント装置３０の信号を処理することにより、ＧＰＳナビゲーション機能、スケジュール管理機能、データ保存機能などの機能を提供する。  
無線通信ユニット３２は、無線方式によって信号を受信／送信するために用いられる。  
本実施例において、無線通信ユニット３２は、例えばデジタルテレビ信号受信ユニット、無線信号通信ユニット、ＧＰＳ受信ユニット、Ｗｉ−Ｆｉ通信ユニット、ブルートゥース（登録商標。以下同じ。）通信ユニットなどである。  
表示ユニット３３は、情報を表示するために用いられ、例えばＬＣＤ表示ユニットである。  
メモリユニット３４は、主として、データの保存または演算データの一時保存に用いられ、例えばＳＤＲＡＭ、フラッシュメモリ（Flash memory）または外接式メモリ（例えばＳＤカード）である。  
入力ユニット３５は、情報を入力するために用いられ、例えばキーボードユニットまたはタッチコントロールユニットである。  
インタフェースユニット３６は、例えばＵＳＢインタフェース、ＵＳＢ−ＯＴＧインタフェースなどを適用したインタフェースである。  
電源ユニット３７は、充電電池である。  
本実施例において、インタフェースユニット３６は、第２信号接続部３０２に接続されることにより、第２信号接続部３０２が第１信号接続部２０２に接続される際に、デジタルアシスタント装置３０のインタフェースユニット３６を介して、移動通信装置２０のインタフェースユニット２５と相互に通信する。  
なお、インタフェースユニット３６と第２信号接続部３０２は、ＵＳＢインタフェース、ＵＳＢ−ＯＴＧインタフェースなどを適用したインタフェースに統合されることができる。
【００１５】
以下、図３を参照して、移動通信装置２０とデジタルアシスタント装置３０の組み合わせについて説明する。
【００１６】
まず、移動通信装置２０の第１構造接続部２０１をデジタルアシスタント装置３０の第２構造接続部３０１と重ね合せる。  
本実施例において、第１構造接続部２０１は、移動通信装置２０の相対向する両側に設けられた両凸部であり、第２構造接続部３０１は、デジタルアシスタント装置３０の相対向する両側に設けられた両凹部である。  
次に、移動通信装置２０をデジタルアシスタント装置３０の中にスライドさせる。  
この際に、移動通信装置２０の第１構造接続部２０１がデジタルアシスタント装置３０の第２構造接続部３０１にスライド移動され、詳しく言えば、移動通信装置２０の相対向する両側に設けられた両凸部がデジタルアシスタント装置３０の相対向する両側に設けられた両凹部の中にスライドされる。  
最後に、移動通信装置２０がデジタルアシスタント装置３０の中に完全にスライドされると、移動通信装置２０の底部に設けられた第１信号接続部２０２がデジタルアシスタント装置３０の底部に設けられた第２信号接続部３０２に接続され、これにより、移動通信装置２０とデジタルアシスタント装置３０を適切に組み合わせることができる。  
特に、移動通信装置２０とデジタルアシスタント装置３０を組み合せない場合、個別に携帯電話とＰＤＡとして使用することもできる。
【００１７】
また、図３に示すように、デジタルアシスタント装置３０の凹部（第２構造接続部３０１）によって収容部３０３を構成し、且つ、収容部３０３が凹部の間に位置する開口３０４を有するため、移動通信装置２０とデジタルアシスタント装置３０を組み合せる際に、移動通信装置２０の表示ユニット２２が開口３０４に位置する。
【００１８】
上述したように、移動通信装置２０とデジタルアシスタント装置３０を組み合せることにより、携帯型電子システム１０を構成する際に、一側面には、移動通信装置２０の表示ユニット２２が設けられ、対向する他側面には、デジタルアシスタント装置３０の表示ユニット３３が設けられる。  
さらに、移動通信装置２０とデジタルアシスタント装置３０とから構成した携帯型電子システム１０は、移動通信装置２０とデジタルアシスタント装置３０の個別機能を統合し、より高度な機能を発揮することができ、例えば、移動通信装置２０の通信ユニット２１の機能とデジタルアシスタント装置３０の無線通信ユニット３２のＧＰＳナビゲーション機能を結合することにより、より高精度な位置決め機能を発揮することができ、さらにＧＰＳナビゲーション機能をアップグレードすることもできる。
【００１９】
また、移動通信装置２０の第１信号接続部２０２とデジタルアシスタント装置３０の第２信号接続部３０２は、無線方式によって信号接続することもできる。  
例えば、第１信号接続部２０２と第２信号接続部３０２は、それぞれブルートゥース通信ユニットまたは赤外線通信ユニットであり、あるいは、それぞれブルートゥース通信ユニットまたは赤外線通信ユニットと協同し、ブルートゥース通信方式または赤外線通信方式によって信号接続することができる。
【００２０】
また、図４に示すように、デジタルアシスタント装置３０は、さらにタッチコントロールユニット３０５を含む。  
タッチコントロールユニット３０５が開口３０４に設けられるため、移動通信装置２０とデジタルアシスタント装置３０を組み合せる際に、タッチコントロールユニット３０５は、移動通信装置２０の表示ユニット２２に対向して設けられる。  
すなわち、タッチコントロールユニット３０５の設置により、移動通信装置２０にタッチコントロール機能を付加させる。
【００２１】
また、図５に示すように、デジタルアシスタント装置３０は、さらに映像増幅ユニット３０６を含む。  
映像増幅ユニット３０６が開口３０４に設けられるため、移動通信装置２０とデジタルアシスタント装置３０を組み合せる際に、映像増幅ユニット３０６は、移動通信装置２０の表示ユニット２２に対向して設けられる。  
本実施例において、映像増幅ユニット３０６は、例えば凸レンズである。  
すなわち、移動通信装置２０の表示ユニット２２の寸法が例えば２.５インチである場合、３.５インチの映像増幅ユニット３０６を設置することにより、ユーザが映像増幅ユニット３０６を介して見た表示ユニット２２の映像を有効に増幅させ、操作の利便性を向上させることができる。
【００２２】
以上、本発明の実施例を図面を参照して詳述してきたが、具体的な構成はこの実施例に限られるものではなく、本発明の要旨を逸脱しない範囲の設計変更などがあっても本発明に含まれる。
【図面の簡単な説明】
【００２３】
【図１】本発明の好適な実施例における携帯型電子システムを示す斜視図である。
【図２Ａ】図１の携帯型電子システムの移動通信装置の内部ユニットを示すブロック図である。
【図２Ｂ】図１の携帯型電子システムのデジタルアシスタント装置の内部ユニットを示すブロック図である。
【図３】本発明の好適な実施例における携帯型電子システムの移動通信装置とデジタルアシスタント装置の組み合わせ手順を示す斜視図である。
【図４】図３のデジタルアシスタント装置は、さらにタッチコントロールユニットを有する態様を示す斜視図である。
【図５】図３のデジタルアシスタント装置は、さらに映像増幅ユニットを有する態様を示す斜視図である。
【符号の説明】
【００２４】
１０    携帯型電子システム
２０    移動通信装置
２０１  第１構造接続部
２０２  第１信号接続部
２１    通信ユニット
２２    表示ユニット
２３    入力ユニット
２４    通信マイクロプロセッサ
２５    インタフェースユニット
２６    音声入出力ユニット
２７    カメラユニット
２８    電源ユニット
３０    デジタルアシスタント装置
３０１  第２構造接続部
３０２  第２信号接続部
３０３  収容部
３０４  開口
３０５  タッチコントロールユニット
３０６  映像増幅ユニット
３１    プロセッサ
３２    無線通信ユニット
３３    表示ユニット
３４    メモリユニット
３５    入力ユニット３６    インタフェースユニット
３７    電源ユニット
【図１】
2008017442.tif 000003
【図２Ａ】
2008017442.tif 000004
【図２Ｂ】
2008017442.tif 000005
【図３】
2008017442.tif 000006
【図４】
2008017442.tif 000007
【図５】
2008017442.tif 000008